(57)【要約】      （修正有）【課題】構成部材が少なくて製造容易でかつ安価に製造することができ、しかも、自転車のスポーク以外の場所にも簡単かつ確実に取り付けることができるリフレクターを提供する。【解決手段】両面又は片面が反射面ａとされた弾性を有する反射板３を備え、該反射板３は渦巻き状に形成された取付板部５を有している。また、前記反射板３は、両面が反射面ａとされていて、可撓性及び弾力性を有する合成樹脂シートの表面及び裏面の両面に反射幕が貼着され又は夜光塗料が塗布されてなり、取付板部５は反射板３に渦巻き溝１１を形成してなる。【選択図】図１
2014054875.tif 000002
【特許請求の範囲】
【請求項１】
両面又は片面が反射面（ａ）とされた弾性を有する反射板（３）を備え、該反射板（３）は渦巻き状に形成された取付板部（５）を有していることを特徴とするリフレクター。
【請求項２】
前記反射板（３）は、両面が反射面（ａ）とされていて、可撓性及び弾力性を有する合成樹脂シート（８）の表面及び裏面の両面に反射幕（９）が貼着され又は夜光塗料が塗布されてなり、取付板部（５）は反射板（３）に渦巻き溝（１１）を形成してなることを特徴とする請求項１に記載のリフレクター。
【請求項３】
前記反射板（３）は取付板部（５）から外方に突出した突出板部（１３）を一体に有し、反射板（３）が動物又は植物の形状に形成され、前記取付板部（５）が前記動物又は植物の一部の形状とされていることを特徴とする請求項１又は２に記載のリフレクター。
【請求項４】
反射板（３）に、キーホルダーや紐等を通すための挿通孔（１５）を有する連結部（１６）が設けられていることを特徴とする請求項１〜３のいずれかに記載のリフレクター。
【発明の詳細な説明】
【技術分野】
【０００１】
本発明は、自転車等に取り付けられるリフレクターに関するものである。
【背景技術】
【０００２】
自転車に取り付けられる従来のリフレクターには、両面又は片面を反射面とした反射板と、スポーク用嵌合溝が設けられた取付具とを備え、取付具に反射板を固定するようにしたものがある（例えば引用文献１）。
また、他の従来のリフレクターには、反射板を備える基板を、両端にスポーク用嵌合凹部を有する取付具に固定ビス等で固定するようにしたものがある（例えば引用文献２）。
【先行技術文献】
【特許文献】
【０００３】
【特許文献１】特開平１０−１６８４６号公報
【特許文献２】特開平１０−２３６３６０号公報
【発明の概要】
【発明が解決しようとする課題】
【０００４】
しかし、従来の場合、リフレクターは反射板の他に自転車の被取付部に取付けるための取付具を必要とするため、構成部材が多くなり、製造が面倒でかつ製造費が高く付くという問題があった。また、取付具はスポーク用嵌合凹部を有するものであり、自転車のスポークにしか取り付けることができなかった。
本発明は上記問題点に鑑み、構成部材が少なくて製造容易でかつ安価に製造することができ、しかも、自転車のスポーク以外の場所にも簡単かつ確実に取り付けることができるリフレクターを提供することを目的としている。
【課題を解決するための手段】
【０００５】
本発明における課題解決のための具体的手段は、次の通りである。
この技術的課題を解決する本発明の技術的手段は、両面又は片面が反射面ａとされた弾性を有する反射板３を備え、該反射板３は渦巻き状に形成された取付板部５を有している点にある。
また、本発明の他の技術的手段は、前記反射板３は、両面が反射面ａとされていて、可撓性及び弾力性を有する合成樹脂シート８の表面及び裏面の両面に反射幕９が貼着され又は夜光塗料が塗布されてなり、取付板部５は反射板３に渦巻き溝１１を形成してなる点にある。
【０００６】
また、本発明の他の技術的手段は、前記反射板３は取付板部５から外方に突出した突出板部１３を一体に有し、反射板３が動物又は植物の形状に形成され、前記取付板部５が前記動物又は植物の一部の形状とされている点にある。
また、本発明の他の技術的手段は、反射板３に、キーホルダーや紐等を通すための挿通孔１５を有する連結部１６が設けられている点にある。
【発明の効果】
【０００７】
本発明によれば、反射板は渦巻き状に形成された取付板部を有しているので、渦巻き状の取付板部をその渦巻きの内外に隣り合う渦巻片部が弾性変形により自転車等の被取付部材の表裏に位置して絡まるように被取付部材に係合させることができ、これにより、リフレクターを反射板の弾性を利用して自転車のスポーク以外の場所にも簡単かつ確実に取り付けることができる。
【０００８】
また、反射板以外に自転車等の被取付部に取付けるための取付具を必要としなくなるため、構成部材が少なくて製造容易でかつ安価に製造することができる。しかも、取付板部を含めたリフレクターの略全域を反射板とすることが可能になり、リフレクターの機能を十分かつ効率よく発揮することできる。
また、渦巻き状の取付板部を被取付部材に係合させた際に、取付板部が反射板の板厚方向に拡がって立体形状になり、リフレクターをどの方向からも良好に見えるようになし得る。
【図面の簡単な説明】
【０００９】
【図１】本発明の一実施形態を示すリフレクターを示し、（ａ）は正面図、（ｂ）は背面図、（ｃ）は平面図である。
【図２】同図１（ａ）のＡ−Ａ線断面図である。
【図３】同リフレクターの販売形態を示す正面図である。
【図４】同リフレクターの使用状態を示す正面図である。
【図５】同リフレクターの他の使用状態を示す正面図である。
【図６】他の実施形態を示すもので、（ａ）〜（ｅ）はそれぞれ他の実施形態を示す正面図である。
【発明を実施するための形態】
【００１０】
以下、本発明の実施の形態を図面に基づいて説明する。
図１〜図５は本発明の一実施形態を示している。図１において、リフレクター１は、両面が反射面ａとされた弾性を有する反射板３を備える。反射板３は渦巻き状に形成された取付板部５を有している。
前記反射板３は、図２にも示すように、両面が反射面ａとされていて、例えば非フタル酸塩化ビニル（ＰＶＣ）により構成した可撓性及び弾力性を有する合成樹脂シート８の表面及び裏面の両面に反射幕９が貼着されてなり、取付板部５は反射板３の一部に渦巻き溝１１を形成してなる。
【００１１】
ここで、非フタル酸塩化ビニル（ＰＶＣ）とは、一般的な合成樹脂の一種で、主に玩具などの原材料としてポリ塩化ビニル（ＰＶＣ）に代わって使用されるようになったものであり、ポリ塩化ビニル内の可塑剤をフタル酸エステル類からクエン酸アセチルトリブチル（クエン酸のエステルの一種）に変更したものである。
また、反射幕９は、例えばスコッチライト（登録商標；住友スリーエム社製）により構成され、反射板３の両面の反射面ａを形成している。このスコッチライトは、反射トランスファーフィルム８７１０（登録商標；住友スリーエム社製）をポリエステルフィルム（厚さ５０．８μｍ）にラミネートしてなるものである。
【００１２】
前記反射板３は取付板部５から外方に突出した突出板部１３を一体に有し、反射板３の全体がカタツムリの形状に形成され、前記取付板部５がカタツムリの一部であるカタツムリの巻いた殻の形状とされている。
反射板３に、キーホルダーや紐等を通すための挿通孔１５を有する連結部１６が設けられており、ここにキーホルダーを挿通保持して、リフレクター１にキーホルダーを具備させることが可能になっている。
【００１３】
上記リフレクター１を販売する際には、図３に示すように、葉っぱの形状をした台紙１９にリフレクター１を載せて台紙１９に設けた切込片２０でリフレクター１の取付板部５を、台紙本体との間で挟持するようにしている。また、リフレクター１の挿通孔１５と台紙１９に設けた挿通孔２１とに連結紐２２を通して連結紐２２でリフレクター１と台紙１９とを連結するようにしている。
【００１４】
上記実施形態によれば、リフレクター１は、両面が反射面ａとされた弾性を有する反射板３を備え、該反射板３は渦巻き状に形成された取付板部５を有しているので、渦巻き状の取付板部５をその渦巻きの内外に隣り合う渦巻片部が弾性変形により自転車等の被取付部材の表裏に位置して絡まるように被取付部材に係合させることができ、これにより、リフレクター１を反射板３の弾性を利用して自転車のスポーク以外の場所にも簡単かつ確実に取り付けることができる。
【００１５】
例えば、図４に示すように、自転車２５の後ブレーキ用のブレーキワイヤー２６に簡単かつ確実に取り付けることができるし、また、図５に示すように、自転車２５の前部又は後部に載置固定した荷かご２８にも簡単かつ確実に取り付けることができる。
また、反射板３以外に自転車２５等の被取付部に取付けるための取付具を必要としなくなるため、構成部材が少なくて製造容易でかつ安価に製造することができる。しかも、取付板部５を含めたリフレクター１の略全域を反射板３とすることが可能になり、リフレクター１の機能を十分かつ効率よく発揮することできる。
【００１６】
また、渦巻き状の取付板部５を被取付部材に係合させた際に、取付板部５が反射板３の板厚方向に拡がって立体形状になり、リフレクター１をどの方向からも良好に見えるようになし得る。
また、前記反射板３は、両面が反射面ａとされていて、可撓性及び弾力性を有する合成樹脂シート８の表面及び裏面の両面に反射幕９が貼着されてなり、取付板部５は反射板３に渦巻き溝１１を形成してなるので、合成樹脂シート８の表面及び裏面の両面に反射幕９が貼着された反射板構成部材から打ち抜き加工と溶着加工との同時工程によってリフレクター１を形成することができ、この点からもリフレクター１を容易かつ安価に製造することができる。しかも、反射板３は両面が反射面ａとされているので、リフレクター１の機能をより一層効率よく発揮することできる。
【００１７】
また、前記反射板３は取付板部５から外方に突出した突出板部１３を一体に有し、反射板３の全体がカタツムリの形状に形成され、前記取付板部５がカタツムリの一部であるカタツムリの巻いた殻の形状とされているので、自転車２５以外の服やカバン等の身の回り品にも手軽に体裁よく取り付けることができ、しかも、装飾効果も高めることができて装飾性に富み実用性に優れたものとなる。
【００１８】
図６（ａ）〜（ｅ）はそれぞれ他の実施形態を示し、図６（ａ）は、リフレクター１の取付板部５を四角形の渦巻き状に形成し、反射板３の全体がカタツムリの形状に形成され、前記取付板部５がカタツムリの一部であるカタツムリの巻いた殻の形状とされている。図６（ｂ）は、リフレクター１の取付板部５を三角形の渦巻き状に形成し、反射板３の全体がカタツムリの形状に形成され、前記取付板部５がカタツムリの一部であるカタツムリの巻いた殻の形状とされている。
【００１９】
また、図６（ｃ）は、反射板３の全体がカメの形状に形成され、前記取付板部５がカメの一部であるカメの甲羅の形状とされている。図６（ｄ）は、反射板３の全体がくまの形状に形成され、前記取付板部５がくまの一部であるくまのはらの形状とされている。図６（ｅ）は、反射板３の全体が花の形状に形成され、前記取付板部５が花の一部である花びら内側の雄蘂及び雌蘂の形状とされている。その他の点は前記図１の実施形態の場合と同様の構成である。
【００２０】
なお、前記実施形態では、反射板３は合成樹脂シート８の表面及び裏面の両面に反射幕９が貼着されてなるが、これに代え、反射板３を合成樹脂シート８の表面及び裏面の両面に夜光塗料を塗布して構成するようにしてもよい。
また、前記実施形態では、反射板３は両面が反射面ａとされているが、これに代え、反射板３の表面又は裏面の片面のみを反射面ａとしてもよい。
【符号の説明】
【００２１】
１      リフレクター
３      反射板
５      取付板部
８      合成樹脂シート
９      反射幕
１１    渦巻き溝
１３    突出板部
１５    挿通孔
１６    連結部
ａ      反射面
【図２】
2014054875.tif 000003
【図１】
2014054875.tif 000004
【図３】
2014054875.tif 000005
【図４】
2014054875.tif 000006
【図５】
2014054875.tif 000007
【図６】
2014054875.tif 000008